(57)【要約】  通信システムを管理する通信管理装置であって、第１の無線端末を含む複数の無線端末と無線通信する無線基地局と、前記無線基地局と通信するゲートウェイ装置と、を有する前記通信システムを管理し、前記無線基地局における前記複数の無線端末の混雑に関する第１の情報を取得し、前記ゲートウェイ装置と前記無線基地局との前記第１の無線端末のための通信に関する第２の情報を取得し、取得した第１の情報と第２の情報を用いて、前記第１の無線端末における前記無線基地局からの無線に関する品質の推定値を計算する。
2017094636.tif 000002
【特許請求の範囲】
【請求項１】
通信システムを管理する通信管理装置であって、
第１の無線端末を含む複数の無線端末と無線通信する無線基地局と、前記無線基地局と通信するゲートウェイ装置と、を有する前記通信システムを管理し、
前記無線基地局における前記複数の無線端末の混雑に関する第１の情報を取得し、
前記ゲートウェイ装置と前記無線基地局との前記第１の無線端末のための通信に関する第２の情報を取得し、
取得した第１の情報と第２の情報を用いて、前記第１の無線端末における前記無線基地局からの無線に関する品質の推定値を計算すること
を特徴とする通信管理装置。
【請求項２】
請求項１に記載の通信管理装置であって、
取得した第１の情報と第２の情報を用いて、前記第１の無線端末における前記無線基地局からの無線に関するＣＱＩ（Ｃｈａｎｎｅｌ  Ｑｕａｌｉｔｙ  Ｉｎｄｉｃａｔｏｒ）の推定値を計算すること
を特徴とする通信管理装置。
【請求項３】
請求項２に記載の通信管理装置であって、
前記無線基地局に接続される前記複数の無線端末の数を、第１の情報として取得すること
を特徴とする通信管理装置。
【請求項４】
請求項３に記載の通信管理装置であって、
前記ゲートウェイ装置から前記無線基地局へ送信される前記第１の無線端末のためのデータのラウンドトリップタイムを、第２の情報として取得すること
を特徴とする通信管理装置。
【請求項５】
請求項３に記載の通信管理装置であって、
前記ゲートウェイ装置から前記無線基地局へ送信される前記第１の無線端末のためのデータのスループットを計算し、第２の情報として取得すること
を特徴とする通信管理装置。
【請求項６】
請求項４に記載の通信管理装置であって、
第１の情報と第２の情報を変数として含み、予め設定された３種類の係数を含む多項式に基づき、ＣＱＩの推定値を計算すること
を特徴とする通信管理装置。
【請求項７】
請求項６に記載の通信管理装置であって、
計算したＣＱＩの推定値と、前記ゲートウェイ装置と前記無線基地局との前記第１の無線端末のための通信に関する第３の情報を用いて、前記第１の無線端末に割り当てている前記無線基地局の基地局リソース量の推定値を計算すること
を特徴とする通信管理装置。
【請求項８】
請求項７に記載の通信管理装置であって、
ＣＱＩの複数の推定値と基地局リソースの複数の利用率との関係が予め登録された情報を有し、
予め登録された情報を用いて、計算したＣＱＩの推定値に関係づけられた基地局リソースの利用率を取得し、
前記ゲートウェイ装置から前記無線基地局へ送信される前記第１の無線端末のためのデータ量を第３の情報として用い、
前記第１の無線端末に割り当てている無線帯域幅の推定値を、前記無線基地局の基地局リソース量の推定値として計算すること
を特徴とする通信管理装置。
【請求項９】
請求項８に記載の通信管理装置であって、
前記第１の無線端末の中で、計算したＣＱＩの推定値が、予め設定された第１の閾値以下であると判定された第２の無線端末に関する情報を登録すること
を特徴とする通信管理装置。
【請求項１０】
請求項９に記載の通信管理装置であって、
前記複数の無線端末のハンドオーバに関する情報を取得し、
予め設定された期間内に予め設定された第２の閾値より少ないハンドオーバ回数の無線端末を、前記複数の無線端末の中から特定して、前記第１の無線端末とすること
を特徴とする通信管理装置。
【請求項１１】
請求項１０に記載の通信管理装置であって、
前記第２の無線端末の位置情報を取得し、
取得した位置情報に基づき、前記第２の無線端末の計算されたＣＱＩの推定値を地図上に表示すること
を特徴とする通信管理装置。
【請求項１２】
第１の無線端末を含む複数の無線端末と無線通信する無線基地局と、前記無線基地局と通信するゲートウェイ装置と、を有する通信システムであって、
前記無線基地局における前記複数の無線端末の混雑に関する第１の情報を取得し、前記ゲートウェイ装置と前記無線基地局との前記第１の無線端末のための通信に関する第２の情報を取得し、第１の情報と第２の情報を送信する解析装置と、
前記解析装置から受信した第１の情報と第２の情報を用いて、前記第１の無線端末における前記無線基地局からの無線に関する品質の推定値を計算する通信管理装置と、
を備えたことを特徴とする通信システム。
【請求項１３】
請求項１２に記載の通信システムであって、
前記通信管理装置は、
前記解析装置から受信した第１の情報と第２の情報を用いて、前記第１の無線端末における前記無線基地局からの無線に関するＣＱＩ（Ｃｈａｎｎｅｌ  Ｑｕａｌｉｔｙ  Ｉｎｄｉｃａｔｏｒ）の推定値を計算すること
を特徴とする通信システム。
【請求項１４】
請求項１３に記載の通信システムであって、
前記解析装置は、
前記無線基地局に接続される前記複数の無線端末の数を、第１の情報として取得し、
前記ゲートウェイ装置から前記無線基地局へ送信される前記第１の無線端末のためのデータのラウンドトリップタイムまたは計算したスループットを、第２の情報として取得すること
を特徴とする通信システム。
【請求項１５】
通信システムを管理するコンピュータの管理プログラムであって、
第１の無線端末を含む複数の無線端末と無線通信する無線基地局と、前記無線基地局と通信するゲートウェイ装置と、を有する前記通信システムを管理するものであり、
前記無線基地局における前記複数の無線端末の混雑に関する第１の情報を取得し、
前記ゲートウェイ装置と前記無線基地局との前記第１の無線端末のための通信に関する第２の情報を取得し、
取得した第１の情報と第２の情報を用いて、前記第１の無線端末における前記無線基地局からの無線に関する品質の推定値を計算すること
をコンピュータに実行させる管理プログラム。
【発明の詳細な説明】
【技術分野】
【０００１】
本発明は、通信管理装置、通信システム及び管理プログラムに関するものである。
【背景技術】
【０００２】
セルラ通信システムなどの無線通信システムでは、通信管理サーバ（ＴＭＳサーバ）を設けて、無線通信システム内のトラフィックを監視している。そして、通信管理サーバが基地局の混雑度のデータを収集している。【０００３】
また、無線通信システムでは、電波受信品質（ＣＱＩ：Ｃｈａｎｎｅｌ  Ｑｕａｌｉｔｙ  Ｉｎｄｉｃａｔｏｒ）が低い端末には、基地局から効率の悪い符号化方式と変調方式が割り当てられ、一定量の通信が実際に行なわれると基地局帯域幅の利用効率低下の原因となる。【０００４】
これに対して、特許文献１には、無線エリア内の通信品質が悪く、有線区間のトラフィックを支配している端末を検出することが記載され（要約参照）、無線基地局は無線通信端末から通信履歴を収集し、通信履歴は例えば無線通信端末と基地局との間の無線区間の通信に関する情報を含み、無線区間のスループットを含むことが記載されている（段落００１５参照）。
【先行技術文献】
【特許文献】
【０００５】
【特許文献１】特開２０１３−１４３６２５号公報
【発明の概要】
【発明が解決しようとする課題】
【０００６】
特許文献１に記載された技術を用いれば、無線通信端末から無線区間の通信品質に関する情報を収集し、無線通信システムを管理することができる。しかしながら、無線基地局が無線通信端末から情報を収集するため、無線区間のトラフィックが増大してしまう。また、無線基地局は多くの無線通信端末を収容するため、各無線通信端末の通信品質に関する処理は処理負荷の増大を招く。【０００７】
そこで、本発明の目的は、処理負荷やトラフィックを増大させることなく、基地局帯域幅の利用効率を決めるための品質を求めることにある。
【課題を解決するための手段】
【０００８】
本発明に係る代表的な通信管理装置は、通信システムを管理する通信管理装置であって、第１の無線端末を含む複数の無線端末と無線通信する無線基地局と、前記無線基地局と通信するゲートウェイ装置と、を有する前記通信システムを管理し、前記無線基地局における前記複数の無線端末の混雑に関する第１の情報を取得し、前記ゲートウェイ装置と前記無線基地局との前記第１の無線端末のための通信に関する第２の情報を取得し、取得した第１の情報と第２の情報を用いて、前記第１の無線端末における前記無線基地局からの無線に関する品質の推定値を計算することを特徴とする通信管理装置である。
【発明の効果】
【０００９】
本発明によれば、処理負荷やトラフィックを増大させることなく、基地局帯域幅の利用効率を決めるための品質を求めることができる。また、前述した以外の課題、構成及び効果は、以下の実施例の説明により明らかにされる。
【図面の簡単な説明】
【００１０】
【図１】実施例１の無線通信システムの構成の例を示す図である。
【図２】ＤＰＩ装置の構成の例を示す図である。
【図３】基地局情報管理テーブルの構成の例を示す図である。
【図４】ユーザトラフィック情報管理テーブルの構成の例を示す図である。
【図５】トラフィック解析処理の例を示すフローチャートである。
【図６】ＲＴＴ計測契機の例を示す図である。
【図７】スループット計測契機の例を示す図である。
【図８】実施例１のトラフィック管理サーバの構成の例を示す図である。
【図９】基地局混雑情報管理テーブルの構成の例を示す図である。
【図１０】ユーザ情報管理テーブルの構成の例を示す図である。
【図１１】ハンドオーバ情報管理テーブルの構成の例を示す図である。
【図１２Ａ】ＲＴＴ用の推定式情報管理テーブルの構成の例を示す図である。
【図１２Ｂ】スループット用の推定式情報管理テーブルの構成の例を示す図である。
【図１３】通知情報管理テーブルの構成の例を示す図である。
【図１４】ユーザ情報通知処理の例を示すフローチャートである。
【図１５】端末移動判定処理の例を示すフローチャートである。
【図１６】無線品質推定処理の例を示すフローチャートである。
【図１７】利用基地局リソース推定処理の例を示すフローチャートである。
【図１８】ユーザ情報通知判定処理の例を示すフローチャートである。
【図１９】推定式パラメータ生成処理の例を示すフローチャートである。
【図２０】実施例２の無線通信システムの構成の例を示す図である。
【図２１】位置管理サーバの構成の例を示す図である。
【図２２】位置情報管理テーブルの構成の例を示す図である。
【図２３】位置情報取得処理の例を示すフローチャートである。
【図２４】実施例２のトラフィック管理サーバの構成の例を示す図である。
【図２５】無線品質マップ情報管理テーブルの構成の例を示す図である。
【図２６】無線品質分布統計マップ情報管理テーブルの構成例を示す図である。
【図２７】無線品質マップ描画処理の例を示すフローチャートである。
【図２８】無線品質分布統計マップ描画処理の例を示すフローチャートである。
【図２９】無線品質マップの例を示す図である。
【図３０】無線品質分布統計マップの例を示す図である。
【発明を実施するための形態】
【００１１】
以下、本発明の実施例を図面に基づいて詳細に説明する。
【００１２】
なお、以下の実施例において、説明の便宜上必要があるときは、複数のセクションまたは実施例に分割して説明するが、特に明示した場合を除き、それらはお互いに無関係なものではなく、一方は他方の一部又は全部の変形例、詳細、補足説明などの関係にある。
【００１３】
また、以下の実施例において、要素の数など（個数、数値、量、範囲などを含む）に言及する場合、特に明示した場合及び原理的に明らかに特定の数に限定される場合などを除き、その特定の数に限定されるものではなく、特定の数以上でも以下でもよいものとする。
【００１４】
さらに、以下の実施例において、その構成要素（要素ステップなどを含む）は、特に明示した場合及び原理的に明らかに必須であると考えられる場合などを除き、必ずしも必須のものではないことは言うまでもない。
【００１５】
本実施例では、無線通信システムの例として３ＧＰＰで標準化されているＬＴＥを用いたセルラ通信システムの実施例を示す。
【実施例１】
【００１６】
図１は、実施例１の無線通信システムの構成の例を示す図である。実施例１の無線通信システムは、基地局装置であるｅＮｏｄｅＢ（Ｅ−ＵＴＲＡＮ  ＮｏｄｅＢ）１０２、ゲートウェイ装置であるＳ−ＧＷ（Ｓｅｒｖｉｎｇ  Ｇａｔｅｗａｙ）１０３とＰ−ＧＷ（Ｐａｃｋｅｔ  Ｄａｔａ  Ｎｅｔｗｏｒｋ  Ｇａｔｅｗａｙ）１０４、管理装置であるＭＭＥ（Ｍｏｂｉｌｉｔｙ  Ｍａｎａｇｅｍｅｎｔ  Ｅｎｔｉｔｙ）１０５、パケット詳細解析装置であるＤＰＩ（Ｄｅｅｐ  Ｐａｃｋｅｔ  Ｉｎｓｐｅｃｔｉｏｎ）装置１０８、及びトラフィック管理サーバ１０９を有する。ｅＮｏｄｅＢ１０２には、ユーザ端末であるＵＥ（Ｕｓｅｒ  Ｅｑｕｉｐｍｅｎｔ）１０１が接続され、ＲＡＮ（Ｒａｄｉｏ  Ａｃｃｅｓｓ  Ｎｅｔｗｏｒｋ）１０６が構成される。【００１７】
Ｓ−ＧＷ１０３は、ユーザプレーンのトラフィック転送機能を有する。Ｐ−ＧＷ１０４は、ユーザへのサービスを提供するパケットデータネットワークであるＰＤＮ（Ｐａｃｋｅｔ  Ｄａｔａ  Ｎｅｔｗｏｒｋ）１１１とのインタフェースを有する。Ｐ−ＧＷ１０４は、ＰＣＥＦ（Ｐｏｌｉｃｙ ａｎｄ Ｃｈａｒｇｉｎｇ Ｅｎｆｏｒｃｅｍｅｎｔ Ｆｕｎｃｔｉｏｎ）を有してもよい。【００１８】
ＰＣＥＦは、所定のポリシーに従って、ポリシー制御を実施する。ＭＭＥは、コントロールプレーンの転送機能を有し、ＵＥ１０１の移動の管理やシグナリング制御などを行う。ＭＭＥ１０５とＳ−ＧＷ１０３は互いに接続され、Ｓ−ＧＷ１０３とＰ−ＧＷ１０４は互いに接続されて、ＥＰＣ（Ｅｖｏｌｖｅｄ  Ｐａｃｋｅｔ  Ｃｏｒｅ：コアネットワーク）１０７を構成する。【００１９】
ＤＰＩ装置１０８は、ネットワーク上を転送されるパケットを取得する装置であり、ｅＮｏｄｅＢ１０２とＳ−ＧＷ１０３との間及びｅＮｏｄｅＢ１０２とＭＭＥ１０５との間で送受信されるトラフィック又はシグナリングを取得する。ＤＰＩ装置１０８は、取得したＵＥ１０１ごとの通信品質を含むトラフィック又はシグナリングの情報を、トラフィック管理サーバ１０９へ送信する。通信品質とは、ＵＥ１０１ごとの通信品質であり、ここでは特にモバイル網、つまりＰ−ＧＷ１０４とＵＥ１０１間の下り方向の受信品質を示す指標である。【００２０】
トラフィック管理サーバ１０９は、ＤＰＩ装置１０８から取得した情報を用いて、ｅＮｏｄｅＢ１０２とＵＥ１０１との間の無線品質（例えば、ＣＱＩ）と、ＵＥ１０１にｅＮｏｄｅＢ１０２が割り当てた基地局リソース量を推定する。無線品質とは、ＵＥ１０１とｅＮｏｄｅＢ１０２間の電波や信号の受信品質を示す指標である。基地局リソースとは、ｅＮｏｄｅＢ１０２がＵＥ１０１に割り当てる無線リソースを示す指標（例えば、周波数帯域幅、時間単位、ＲＢ：Ｒｅｓｏｕｒｃｅ  Ｂｌｏｃｋ）である。【００２１】
また、トラフィック管理サーバ１０９は、推定した無線品質や基地局リソース量を外部装置に出力する。外部装置とは、Ｐ−ＧＷ１０４やＳ−ＧＷ１０３などのネットワーク装置や、その他一般的に使用されるサーバなどを含む装置全般であり、図１ではＰ−ＧＷ１０４の例を示す。【００２２】
ＤＰＩ装置１０８はＳ−ＧＷ１０３及びＭＭＥ１０５毎に設置され、ｅＮｏｄｅＢ１０２とＳ−ＧＷ１０３との間のリファレンスポイントＳ１−Ｕで転送されるトラフィック、及びｅＮｏｄｅＢ１０２とＭＭＥ１０５との間のリファレンスポイントＳ１１で転送されるトラフィックを取得する。【００２３】
一つのＤＰＩ装置１０８が複数のＳ−ＧＷ１０３やＭＭＥ１０５を収容してもよいし、複数のＤＰＩ装置１０８が一つのＳ−ＧＷ１０３や一つのＭＭＥ１０５を収容してもよい。また、ＤＰＩ装置１０８及びトラフィック管理サーバ１０９が一つの計算機に収容されてもよい。【００２４】
図２は、ＤＰＩ装置１０８の構成の例を示す図である。ＤＰＩ装置１０８の処理内容は、一般的なコンピュータの補助記憶装置３０２にプログラム（ソフトウェア）の形で格納され、ＣＰＵ（Ｃｅｎｔｒａｌ  Ｐｒｏｃｅｓｓｉｎｇ  Ｕｎｉｔ）３０４が、補助記憶装置３０２から読み出したプログラムをメモリ３０１上に展開して、実行する。ＤＰＩ装置１０８は、通信品質に関する情報などをネットワークＩ／Ｆ（インタフェース）３０５を介して、トラフィック管理サーバ１０９と通信する。【００２５】
また、ＤＰＩ装置１０８は、監視Ｉ／Ｆ３０６を介して、リファレンスポイントＳ−１Ｕ及びＳ１１と接続され、トラフィックに含まれるパケットを受信する。ＤＰＩ装置は監視Ｉ／Ｆ３０６を複数有してもよく、例えば監視対象となる複数のｅＮｏｄｅＢ１０２、Ｓ−ＧＷ１０３、ＭＭＥ１０５に応じて、リファレンスポイントＳ−１Ｕ及びＳ１１の個数の監視Ｉ／Ｆ３０６を有してもよい。【００２６】
Ｉ／Ｏ（入出力インタフェース）３０３は、ユーザがＤＰＩ装置１０８に指示を入力し、プログラムの実行結果などをユーザに提示するためのユーザインタフェースである。Ｉ／Ｏ３０３には、入出力デバイス（例えば、キーボード、マウス、タッチパネル、ディスプレイ、プリンタなど）が接続される。Ｉ／Ｏ３０３は、ネットワークを経由して接続された管理端末によって提供されるユーザインタフェースが接続されてもよい。【００２７】
ＤＰＩ装置１０８のメモリ３０１は、トラフィック解析プログラム３１２が格納される。トラフィック解析プログラム３１２は、トラフィック解析処理（図５参照）を実行するためのプログラムである。また、メモリ３０１は、基地局情報管理テーブル３２１（図３参照）と、ユーザトラフィック情報管理テーブル３２２（図４参照）が格納される。【００２８】
ＣＰＵ３０４が実行するプログラムは、リムーバブルメディア（ＣＤ−ＲＯＭ、フラッシュメモリなど）又はネットワークを介してＤＰＩ装置１０８に提供され、非一時的記憶媒体である補助記憶装置３０２に格納される。このため、ＤＰＩ装置１０８は、リムーバブルメディアからデータを読み込むインタフェースを有してもよい。【００２９】
ＤＰＩ装置１０８は、物理的に一つの計算機上で、又は、論理的又は物理的に複数の計算機上で構成される計算機システムであり、メモリ３０１に格納されたプログラムが、同一の計算機上で別個のスレッドで動作してもよく、複数の物理的計算機資源上に構築された仮想計算機上で動作してもよい。【００３０】
図３は、基地局情報管理テーブル３２１の構成の例を示す図である。基地局情報管理テーブル３２１は、ｅＮｏｄｅＢ１０２に関する混雑情報が格納される。具体的に、基地局情報管理テーブル３２１は、ｅＮｏｄｅＢ１０２のセルを一意に識別するためのＥＣＧＩ（Ｅ−ＵＴＲＡＮ Ｃｅｌｌ Ｇｌｏｂａｌ ＩＤ）が格納されるＥＣＧＩ３２１１と、混雑情報を取得した時刻が格納される計測期間３２１２とを含む。【００３１】
また、基本統計情報３２１３としてＥＣＧＩ３２１１で識別されるセルに対し、基地局情報管理テーブル３２１は、識別されるセルに接続されるＵＥ１０１の数が格納される接続ＵＥ数３２１４と、識別されるセルで転送される上りデータ量（バイト数）が格納される転送バイト数上り３２１５と、識別されるセルで転送される下りデータ量（バイト数）が格納される転送バイト数下り３２１６とを含む。【００３２】
なお、ＥＣＧＩ３２１１で識別されるセルに、混雑情報を取得した時刻や接続されるＵＥ１０１の数などの情報が関連付けられて管理されるため、図３に示した基地局情報管理テーブル３２１ではテーブルとしての１行が情報の１つの単位を構成し、これをレコードと称する。以下で説明する他のテーブルにおいも同様に図面上のテーブルの１行をレコードと称する。【００３３】
図４は、ユーザトラフィック情報管理テーブル３２２の構成例を示す図である。ユーザトラフィック情報管理テーブル３２２は、無線通信システムに接続しているＵＥ１０１に関する統計情報がＤＰＩ装置１０８により計測され、格納される。具体的に、ユーザトラフィック情報管理テーブル３２２は、ＵＥ１０１を一意に識別するためのＩＭＳＩ（Ｉｎｔｅｒｎａｔｉｏｎａｌ Ｍｏｂｉｌｅ Ｓｕｂｓｃｒｉｂｅｒ Ｉｄｅｎｔｉｔｙ）が格納されるＩＭＳＩ３２２１と、ＩＭＳＩ３２２１で識別されるＵＥ１０１が接続されるｅＮｏｄｅＢ１０２のセルを一意に識別するためのＥＣＧＩ３２２２と、統計情報を計測した時刻が格納される時刻３２２３とを含む。【００３４】
また、統計情報３２２４としてＩＭＳＩ３２２１で識別されるＵＥ１０１に対し、ユーザトラフィック情報管理テーブル３２２は、識別されるＵＥ１０１で転送されるデータ量（バイト数）が格納される転送バイト数３２２５と、識別されるＵＥ１０１で転送されるパケット数が格納される転送パケット数３２２６と、識別されるＵＥ１０１の通信品質の情報が格納される通信品質情報３２２７とを含む。【００３５】
通信品質情報３２２７は、データ転送速度などのスループット（図７参照）、ＲＴＴ（Ｒｏｕｎｄ  ＴｒｉｐＴｉｍｅ）などの遅延（図６参照）及びパケットロス率を含むが、図示した指標の一部のみを含むものでもよく、通信品質を示す他の指標（ジッタなど）を含んでもよい。【００３６】
図５は、トラフィック解析処理の例を示すフローチャートである。トラフィック解析処理は、トラフィック解析プログラム３１２がＤＰＩ装置１０８のＣＰＵ３０４で実行されることにより行われる処理である。トラフィック解析プログラム３１２では、Ｓ１−Ｕ、Ｓ１１インタフェースのメッセージを受信するとトラフィック解析処理を実行し、基地局情報管理テーブル３２１及びユーザトラフィック情報管理テーブル３２２を更新する。【００３７】
まず、トラフィック解析プログラム３１２を実行するＤＰＩ装置１０８は、リファレンスポイントＳ１−ＵとＳ１１でメッセージを取得し（ステップ３１２１）、取得したメッセージによって基地局情報管理テーブル３２１の基本統計情報３２１３を更新する（ステップ３１２２）。例えば、ＤＰＩ装置１０８は、リファレンスポイントＳ１−ＵのユーザトラフィックからＴＥＩＤ（Ｔｕｎｎｅｌ  Ｅｎｄｐｏｉｎｔ  Ｉｄｅｎｔｉｆｉｅｒ）を抽出し、新しいＵＥ１０１の接続を検出すると、接続ＵＥ数３２１４を増加する。また、ＵＥ１０１の接続の解放を検出すると、接続ＵＥ数３２１４を減少する。【００３８】
さらに、ＤＰＩ装置１０８は、Ｓ１−Ｕインタフェースで通信品質を計測する（ステップ３１２３）。そして、計測した通信品質をもとに、ユーザトラフィック情報管理テーブル３２２を更新し（ステップ３１２４）、基地局情報管理テーブル３２１、ユーザトラフィック情報管理テーブル３２２で更新された情報をトラフィック管理サーバ１０９に送信する（ステップ３１２５）。【００３９】
図６は、ＲＴＴ計測契機の例を示す図である。ＰＤＮ１１１に設けられたサーバとＵＥ１０１との間で送受信されるパケットをネットワーク上のパケットモニタリングポイント（リファレンスポイントＳ−１Ｕ、Ｓ１１）で、ＤＰＩ装置１０８が取得し、ＲＴＴを計測する。ＲＴＴの計測契機は、代表的には以下の２つである。【００４０】
（１）ＳＹＮパケットに関するＲＡＮ  ＲＴＴ計測１０８１
ＳＹＮ＋Ａｃｋパケットと、対応するシーケンス番号を持つＡｃｋパケットとの時間差を計測。【００４１】
（２）Ｄａｔａパケットに関するＲＡＮ  ＲＴＴ計測１０８２
Ｄａｔａパケットと、対応するシーケンス番号を持つＡｃｋパケットとの時間差を計測。【００４２】
なお、複数計測して、複数の計測結果を平均したものが用いられてもよいし、いずれかの計測結果が用いられてもよい。【００４３】
図７は、スループット計測契機の例を示す図である。計測されるスループットは、ＰＤＮ１１１に設けられたサーバとＵＥ１０１との間で送受信されるパケットをネットワーク上のパケットモニタリングポイント（リファレンスポイントＳ−１Ｕ、Ｓ１１）で、ＤＰＩ装置１０８が取得し、スループットを計測する。【００４４】
スループットは、スループット計測期間に送信されたＤａｔａパケットの総転送バイト数を、スループット計測期間の時間で除算して計算される。スループットは、複数のスループット計測期間で計測されたスループットを平均したものが用いられてもよいし、いずれかのスループット計測期間で計測されたスループットが用いられてもよい。スループット計測期間は、代表的には以下の４つである。【００４５】
（１）瞬間スループット計測１０８３
Ｄａｔａパケットから、対応するシーケンス番号を持つＡｃｋパケットまでの期間。【００４６】
（２）バーストスループット計測１０８４
連続して送られるＤａｔａパケットまたはＡｃｋパケットの、連続する１つめのパケットから最後のパケットまでの期間。【００４７】
（３）ＨＴＴＰセッションスループット計測１０８５
ＲｅｑｕｅｓｔパケットからＨＴＴＰ Ｒｅｓｐｏｎｓｅパケットまでの期間。【００４８】
（４）ＴＣＰセッションスループット計測１０８６
ＳＹＮパケットからＦｉｎパケットまでの期間。【００４９】
なお、図示を省略したが、所定のデータ転送量（例えば、１００Ｋバイト）毎のスループットを計測してもよい。【００５０】
図８は、実施例１のトラフィック管理サーバ１０９の構成の例を示す図である。トラフィック管理サーバ１０９は、一般的なコンピュータによって構成され、ＣＰＵ２０４、メモリ２０１、補助記憶装置２０２、Ｉ／Ｏ２０３、ネットワークＩ／Ｆ２０５、ＤＰＩ装置Ｉ／Ｆ２０６を有する。【００５１】
Ｉ／Ｏ２０３は、ユーザがトラフィック管理サーバ１０９に指示を入力し、プログラムの実行結果をユーザに提示するためのユーザインタフェースである。Ｉ／Ｏ２０３には、入出力デバイス（例えば、キーボード、マウス、タッチパネル、ディスプレイ、プリンタなど）が接続される。Ｉ／Ｏ２０３は、ネットワークを経由して接続された管理端末によって提供されるユーザインタフェースが接続されてもよい。【００５２】
ＣＰＵ２０４は、メモリ２０１に格納されたプログラムを実行するプロセッサである。メモリ２０１は、不揮発性の記憶素子であるＲＯＭ（Ｒｅａｄ  Ｏｎｌｙ  Ｍｅｍｏｒｙ）及び揮発性の記憶素子であるＲＡＭ（Ｒａｎｄｏｍ  Ａｃｃｅｓｓ  Ｍｅｍｏｒｙ）を含む。ＲＯＭは、不変のプログラム（例えば、ＢＩＯＳ：Ｂａｓｉｃ  Ｉｎｐｕｔ  Ｏｕｔｐｕｔ  Ｓｙｓｔｅｍ）などが格納される。ＲＡＭは、ＤＲＡＭ（Ｄｙｎａｍｉｃ  Ｒａｎｄｏｍ  Ａｃｃｅｓｓ  Ｍｅｍｏｒｙ）のような高速かつ揮発性の記憶素子であり、補助記憶装置２０２に格納されたプログラム及びプログラムの実行時に使用されるデータが一時的に格納される。【００５３】
具体的に、メモリ２０１は、ユーザ情報通知プログラム２１１、端末移動判定プログラム２１２、無線品質推定プログラム２１３、利用基地局リソース推定プログラム２１４、ユーザ情報通知判定プログラム２１５、及び無線品質推定式パラメータ生成プログラム２１６が格納される。【００５４】
ユーザ情報通知プログラム２１１は、ユーザ情報通知処理（図１４参照）を実行するためのプログラムである。端末移動判定プログラム２１２は、端末移動判定処理（図１５参照）を実行するためのプログラムである。無線品質推定プログラム２１３は、無線品質推定処理（図１６参照）を実行するためのプログラムである。【００５５】
利用基地局リソース推定プログラム２１４は、利用基地局リソース推定処理（図１７参照）を実行するためのプログラムである。ユーザ情報通知判定プログラム２１５は、ユーザ情報通知判定処理（図１８参照）を実行するためのプログラムである。無線品質推定式パラメータ生成プログラム２１６は無線品質推定処理（図１９参照）を実行するためのプログラムである。【００５６】
また、メモリ２０１は、基地局混雑情報管理テーブル２２１（図９参照）、ユーザ情報管理テーブル２２２（図１０参照）、ハンドオーバ情報管理テーブル２２３（図１１参照）、推定式情報管理テーブル２２４（図１２参照）、及び通知情報管理テーブル２２５（図１３参照）が格納される。【００５７】
補助記憶装置２０２は、例えば、磁気記憶装置（ＨＤＤ：Ｈａｒｄ  Ｄｉｓｋ  Ｄｒｉｖｅ）、フラッシュメモリ（ＳＳＤ：Ｓｏｌｉｄ  Ｓｔａｔｅ  Ｄｒｉｖｅ）などの大容量かつ不揮発性の記憶装置である。また、補助記憶装置２０２は、ＣＰＵ２０４により実行されるプログラム及びプログラムの実行時に使用されるデータが格納される。すなわち、プログラムは、補助記憶装置２０２から読み出されて、メモリ２０１にロードされ、ＣＰＵ２０４によって実行される。【００５８】
ネットワークＩ／Ｆ２０５は、ネットワークを経由して他の装置（例えば、Ｐ−ＧＷ１０４）との通信を制御するインタフェースデバイスである。ＤＰＩ装置Ｉ／Ｆ２０６は、ＤＰＩ装置１０８との通信を制御するインタフェースデバイスである。ＤＰＩ装置Ｉ／Ｆ２０６は、ＤＰＩ装置１０８の個数に応じて複数であってもよいし、ネットワークＩ／Ｆ２０５と共用であってもよい。【００５９】
ＣＰＵ２０４が実行するプログラムは、リムーバブルメディア（ＣＤ−ＲＯＭ、フラッシュメモリなど）又はネットワークを介してトラフィック管理サーバ１０９に提供され、非一時的記憶媒体である補助記憶装置２０２に格納される。このため、トラフィック管理サーバ１０９は、リムーバブルメディアからデータを読み込むインタフェースを有してもよい。【００６０】
トラフィック管理サーバ１０９は、物理的に一つの計算機上で、又は、論理的又は物理的な複数の計算機上で構成される計算機システムであり、メモリ２０１に格納されたプログラムが、同一の計算機上で別個のスレッドで動作してもよく、複数の物理的計算機資源上に構築された仮想計算機上で動作してもよい。また、トラフィック管理サーバ１０９と他の装置が一つの物理的又は論理的計算機に収容されてもよい。なお、プログラムの実行によって実現される処理の全部又は一部の処理をハードウェア（例えば、Ｆｉｅｌｄ−Ｐｒｏｇｒａｍｍａｂｌｅ  Ｇａｔｅ  Ａｒｒａｙ）によって実現してもよい。【００６１】
図９は、基地局混雑情報管理テーブル２２１の構成の例を示す図である。基地局混雑情報管理テーブル２２１は、ｅＮｏｄｅＢ１０２に関する混雑情報が格納される。具体的に、基地局混雑情報管理テーブル２２１は、ｅＮｏｄｅＢ１０２のセルを一意に識別するためのＥＣＧＩが格納されるＥＣＧＩ２２１１と、混雑情報を取得した時刻が格納される計測期間２２１２とを含む。【００６２】
また、基本統計情報２２１３としてＥＣＧＩ２２１１で識別されるセルに対し、基地局混雑情報管理テーブル２２１は、識別されるセルに接続されるＵＥ１０１の個数が格納される接続ＵＥ数２２１４と、識別されるセルで転送される上りデータ量（バイト数）が格納される転送バイト数上り２２１５と、識別されるセルで転送される下りデータ量（バイト数）が格納される転送バイト数下り２２１６とを含む。【００６３】
基地局混雑情報管理テーブル２２１の各値は、ＤＰＩ装置１０８の基地局情報管理テーブル３２１の各値をＤＰＩ装置１０８から取得して格納される。【００６４】
図１０は、ユーザ情報管理テーブル２２２の構成の例を示す図である。ユーザ情報管理テーブル２２２は、無線通信システムに接続しているＵＥ１０１に関する統計情報をＤＰＩ装置１０８が計測し、ＤＰＩ装置１０８から取得して格納される。具体的に、ユーザ情報管理テーブル２２２は、ＵＥ１０１を一意に識別するためのＩＭＳＩが格納されるＩＭＳＩ２２２１と、ＩＭＳＩ２２２１で識別されるＵＥ１０１が接続されるｅＮｏｄｅＢ１０２のセルを一意に識別するためのＥＣＧＩ２２２２と、統計情報を計測した時刻が格納される時刻２２２３とを含む。【００６５】
統計情報２２２４としてＩＭＳＩ２２２１で識別されるＵＥ１０１に対し、ユーザ情報管理テーブル２２２は、識別されるＵＥ１０１で転送されるデータ量（バイト数）が格納される転送バイト数２２２５と、識別されるＵＥ１０１で転送されるパケット数が格納されうる転送パケット数２２２６と、識別されるＵＥ１０１の通信品質の情報が格納される通信品質情報２２２７とを含む。【００６６】
通信品質情報２２２７は、スループット、ＲＴＴなどの遅延及びパケットロス率を含むが、図示した指標の一部のみを含むものでもよく、通信品質を示す他の指標（ジッタなど）を含んでもよい。【００６７】
また、ユーザ情報管理テーブル２２２は、トラフィック管理サーバ１０９によりＵＥ１０１が移動しているか否かを判定した結果が格納される移動判定結果２２２８を含む。【００６８】
図１１は、ハンドオーバ情報管理テーブル２２３の構成の例を示す図である。ハンドオーバ情報管理テーブル２２３は、ＵＥ１０１がハンドオーバの前後に接続したｅＮｏｄｅＢ１０２の情報をＤＰＩ装置１０８により計測され、ＤＰＩ装置１０８から取得されて格納される。具体的に、ハンドオーバ情報管理テーブル２２３は、ＵＥ１０１を一意に識別するためのＩＭＳＩが格納されるＩＭＳＩ２２３１と、ＩＭＳＩ２２３１で識別されるＵＥ１０１がハンドオーバした時刻が格納される時刻２２３２を含む。【００６９】
ハンドオーバ情報２２３３としてＩＭＳＩ２２３１で識別されるＵＥ１０１に対し、ハンドオーバ情報管理テーブル２２３は、ハンドオーバ前に接続していたハンドオーバ元のＥＣＧＩが格納されるハンドオーバ元ＥＣＧＩ２２３４と、ハンドオーバ後に接続したハンドオーバ先のＥＣＧＩが格納されるハンドオーバ先ＥＣＧＩ２２３５とを含む。【００７０】
なお、ハンドオーバ情報管理テーブル２２３に格納された情報は、追記で格納され、予め設定された時間だけ上書きや消去されない。このため、同一のＩＭＳＩで識別されるＵＥ１０１が短時間に複数回ハンドオーバすると、そのハンドオーバした回数分の情報がハンドオーバした時刻と共に格納された状態となり、ハンドオーバ情報管理テーブル２２３はログ情報となる。【００７１】
図１２Ａと図１２Ｂは、推定式情報管理テーブル２２４の構成の例を示す図である。推定式情報管理テーブル２２４は、無線品質（ＣＱＩ）の推定に用いる数式中のパラメータと、基地局リソースの推定に用いる数式中のパラメータが格納される。【００７２】
具体的に、図１２Ａに示した例の推定式情報管理テーブル２２４は、パラメータが適用されるｅＮｏｄｅＢ１０２のセルを一意に識別するためのＥＣＧＩが格納されるＥＣＧＩ２２４１と、ＥＣＧＩ２２４１で識別されるセルの無線品質（ＣＱＩ）をＲＴＴで推定するためのパラメータが格納される無線品質推定用パラメータ（α０、α１、α２）２２４２とを含む。【００７３】
また、推定式情報管理テーブル２２４は、ＥＣＧＩ２２４１で識別されるセルに対し、無線品質（ＣＱＩ）の値（ＣＱＩ１、ＣＱＩ２、．．．ＣＱＩ１５）ごとに設定される変調方式と符号化率によって決まる値として基地局リソース推定用ｅｆｆｉｃｉｅｎｃｙ２２４３を含む。【００７４】
これに対して、図１２Ｂに示した例の推定式情報管理テーブル２２４は、無線品質（ＣＱＩ）の推定に用いる数式中のパラメータが異なり、ＥＣＧＩ２２４１で識別されるセルの無線品質（ＣＱＩ）をスループットで推定するためのパラメータが格納される無線品質推定用パラメータ（β０、β１、β２）２２４２を含む。【００７５】
無線品質推定用パラメータ２２４２は、無線品質推定式パラメータ生成プログラム２１６が設定したパラメータであり（図１９参照）、αであるかβであるかは、無線品質推定式パラメータ生成プログラム２１６がＲＴＴの計測結果をもとに設定したパラメータであるかスループットの計測結果をもとに設定したパラメータであるかによる。【００７６】
このため、ＲＴＴかスループットのいずれか一方の計測結果をもとにαかβのいずれか一方が設定されてもよいし、ＲＴＴとスループットの両方の計測結果をもとにαとβの両方が設定されてもよい。また、基地局リソース推定用ｅｆｆｉｃｉｅｎｃｙ２２４３は、Ｉ／Ｏ２０３に接続された入出力デバイスにユーザが入力した情報から取得される。【００７７】
図１３は通知情報管理テーブル２２５の構成例を示す図である。通知情報管理テーブル２２５は、トラフィック管理サーバ１０９が、外部装置に通知する情報を格納する。具体的に、通知情報管理テーブル２２５は、ＵＥ１０１を一意に識別するためのＩＭＳＩが格納されるＩＭＳＩ２２５１と、ＩＭＳＩ２２５１で識別されるＵＥ１０１が接続されるｅＮｏｄｅＢ１０２のセルを一意に識別するためのＥＣＧＩ２２５２と、通知する情報を格納した時刻が格納される時刻２２５３と、トラフィック管理サーバ１０９が推定した無線品質推定値と利用基地局リソース推定値がそれぞれ格納される無線品質推定値２２５４と利用基地局リソース推定値２２５５とを含む。【００７８】
図１４はユーザ情報通知処理の例を示すフローチャートである。ユーザ情報通知処理は、ユーザ情報通知プログラム２１１がトラフィック管理サーバ１０９のＣＰＵ２０４で実行されることにより行われる処理である。まず、ユーザ情報通知プログラム２１１によりトラフィック管理サーバ１０９は、端末移動判定プログラム２１２を起動し、端末移動判定処理（図１５参照）を実行することにより、ＵＥ１０１の移動判定を行い、移動していないと判定されたＵＥ１０１のＩＭＳＩを取得する（ステップ２１１１）。【００７９】
その後、ユーザ情報通知プログラム２１１によりトラフィック管理サーバ１０９は、ステップ２１１１で取得したＩＭＳＩを順次に対象ＩＭＳＩとして設定し、ステップ２１１２からステップ２１１４の処理を繰り返し実行する。【００８０】
ステップ２１１２では、無線品質推定プログラム２１３が起動され、無線品質推定処理（図１６参照）が実行され、ＣＱＩが推定される。ＣＱＩは、ｅＮｏｄｅＢ１０２とＵＥ１０１間の下りチャネルの受信品質を示す指標であり、その取り得る値は無線通信システムにおいて予め定められている。例えば、０から１５の１６段階のＣＱＩ値が定められ、各ＣＱＩ値に対応して変調方式や伝送レートが定義される。【００８１】
また、ここでは、無線品質としてＣＱＩを用いるが、ＣＱＩ以外の無線区間の品質を表す値であるＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｓｅｉｖｅｄ  Ｑｕａｌｉｔｙ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＳＩＮＲ（Ｓｉｇｎａｌ−ｔｏ−Ｉｎｔｅｒｆｅｒｅｎｃｅ ｐｌｕｓ Ｎｏｉｓｅ ｐｏｗｅｒ Ｒａｔｉｏ）などを用いてもよい。【００８２】
ステップ２１１３では、利用基地局リソース推定プログラム２１４が起動され、利用基地局リソース推定処理（図１７参照）が実行され、ｅＮｏｄｅＢ１０２がＵＥ１０１に割り当てた基地局リソース量が推定される。ステップ２１１４では、ユーザ情報通知判定プログラム２１５が起動され、ユーザ情報通知判定処理（図１８参照）が実行され、ＵＥ１０１ごとに外部装置に通知するか否かが判定され、通知情報管理テーブル２２５に登録される。【００８３】
移動していないと判定されたＵＥ１０１のＩＭＳＩ全てに対してステップ２１１２からステップ２１１４の処理が完了すると、ステップ２１１５では、通知情報管理テーブル２２５に登録された情報を、トラフィック管理サーバ１０９が外部装置に送信する。【００８４】
図１５は、端末移動判定処理の例を示すフローチャートである。端末移動判定処理は、端末移動判定プログラム２１２がトラフィック管理サーバ１０９のＣＰＵ２０４で実行されることにより行われる処理である。まず、端末移動判定プログラム２１２によりトラフィック管理サーバ１０９は、ユーザ情報管理テーブル２２２のＩＭＳＩ２２２１に登録されているＩＭＳＩを取得し（ステップ２１２１）、取得したＩＭＳＩを順次に対象として設定し、ステップ２１２２からステップ２１１７の処理を繰り返し実行する。【００８５】
ステップ２１２２では、ハンドオーバ情報管理テーブル２２３から、対象として設定されたＩＭＳＩをＩＭＳＩ２２３１に含むレコードを取得する。すなわち、対象のＩＭＳＩで識別されるＵＥ１０１に関するハンドオーバの情報を取得する。【００８６】
ステップ２１２３では、複数のレコードを取得したかを判定することにより、取得したハンドオーバの情報に複数のＥＣＧIが含まれるかを判定する。ハンドオーバの情報に複数のＥＣＧIが存在しいと判定した場合は、非移動端末としてユーザ情報管理テーブル２２２の移動判定結果２２２８に登録し（ステップ２１２７）、処理を終了する。【００８７】
一方、ハンドオーバ情報に複数のＥＣＧIが存在すると判定した場合は、期間Ｐに含まれるＥＣＧＩ（ハンドオーバ）の数を取得する。ここで期間Ｐは、Ｉ／Ｏ２０３に接続された入出力デバイスにユーザが入力した情報から取得される。また、ハンドオーバ情報管理テーブル２２３は、ログ情報として時刻２２３２にハンドオーバした時刻が格納されているため、ステップ２１２２で取得した対象のＩＭＳＩのみのハンドオーバの情報の時刻であって、ステップ２１２４が実行された時刻から期間Ｐだけ前の時刻の間に含まれる時刻の個数を取得する。【００８８】
そして、ステップ２１２４で取得したＥＣＧI（ハンドオーバ）の数と所定の閾値Ａとを比較する（ステップ２１２５）。ＥＣＧＩの数が所定の閾値Ａ以上であると判定した場合は、移動端末としてユーザ情報管理テーブル２２２の移動判定結果２２２８に登録し（ステップ２１２６）、ＥＣＧＩの数が所定の閾値Ａより小さい値であると判定した場合は、非移動端末としてユーザ情報管理テーブル２２２の移動判定結果２２２８に登録する（ステップ２１２７）。なお、閾値Ａは、Ｉ／Ｏ２０３に接続された入出力デバイスにユーザが入力した情報から取得される。【００８９】
図１６は、無線品質推定処理の例を示すフローチャートである。無線品質推定処理は、重回帰分析によって導出された推定式を用いて無線品質を推定する処理であり、無線品質推定プログラム２１３がトラフィック管理サーバ１０９のＣＰＵ２０４で実行されることにより行われる処理である。【００９０】
まず、無線品質推定プログラム２１３によりトラフィック管理サーバ１０９は、ユーザ情報管理テーブル２２２の無線品質を推定するＵＥ１０１の通信品質情報２２２７からＲＴＴまたはスループットの通信品質情報を取得する（ステップ２１３１）。なお、無線品質を推定する対象のＵＥ１０１は、図１４に示したループで順次設定される対象のＩＭＳＩで識別されるＵＥ１０１である。【００９１】
ステップ２１３２では、取得した通信品質情報に対応するＥＣＧＩをＥＣＧＩ２２２２から取得し、取得したＥＣＧＩを用いて、基地局混雑情報管理テーブル２２１から、基本統計情報２２１３の接続ＵＥ数２２１４を混雑情報として取得する。さらに、ステップ２１３３では、取得した混雑情報に対応するＥＣＧＩを用いて、推定式情報管理テーブル２２４から無線品質推定用パラメータ２２４２のα０、α１、α２の値またはβ０、β１、β２の値を取得する。【００９２】
ステップ２１３４では、ステップ２１３１で取得した通信品質情報（ＲＴＴまたはスループット）と、ステップ２１３２で取得した混雑情報（接続ＵＥ数：式中のＵＥ）から、式（１）または式（２）を用いて、無線品質（ＣＱＩ）の推定値を計算する。【００９３】
【数１】
2017094636.tif 000003
【００９４】
【数２】
2017094636.tif 000004
【００９５】
そして、ステップ２１３５では、計算したＣＱＩの推定値を対象のＩＭＳＩと関係づけてメモリ２０１に出力（格納）する。【００９６】
図１７は、利用基地局リソース推定処理の例を示すフローチャートである。利用基地局リソース推定処理は、ｅＮｏｄｅＢ１０２がＵＥ１０１に割り当てた基地局リソース量を推定する処理であり、利用基地局リソース推定プログラム２１４がトラフィック管理サーバ１０９のＣＰＵ２０４で実行されることにより行われる処理である。【００９７】
まず、利用基地局リソース推定プログラム２１４によりトラフィック管理サーバ１０９は、無線品質推定プログラム２１３を用いて推定した対象のＩＭＳＩの無線品質推定値（ＣＱＩ）を取得する（ステップ２１４１）。なお、対象のＩＭＳＩは、図１４に示したループで順次設定されるＩＭＳＩである。さらに、ステップ２１４２では、対象のＩＭＳＩで識別されるＵＥ１０１に接続されるｅＮｏｄｅＢ１０２のセルのＥＣＧＩを用いて、推定式情報管理テーブル２２４の基地局リソース推定用ｅｆｆｉｃｉｅｎｃｙ２２４３から、ステップ２１４１で取得した無線品質（ＣＱＩ）に対応したｅｆｆｉｃｉｅｎｃｙを取得する。【００９８】
ステップ２１４３では、ユーザ情報管理テーブル２２２において、対象のＩＭＳＩがＩＭＳＩ２２２１に含まれるレコードの転送バイト数２２２５から下りの転送バイト数を取得する。そして、ステップ２１４４では、ステップ２１４２で取得したｅｆｆｉｃｉｅｎｃｙとステップ２１４３で取得した下りの転送バイト数（式中のｔｒａｎｓｍｉｔ＿ｂｙｔｅ）から、式（３）を用いて、ｅＮｏｄｅＢ１０２がＵＥ１０１に割り当てた利用基地局リソース量の推定値を計算する。【００９９】
【数３】
2017094636.tif 000005
【０１００】
ステップ２１４５では、計算した利用基地局リソース量の推定値を対象のＩＭＳＩと関係づけてメモリ２０１に出力（格納）する。【０１０１】
図１８は、ユーザ情報通知判定処理の例を示すフローチャートである。ユーザ情報通知判定処理は、通知されるユーザの情報を特定の条件に基づいて選定し、通知情報管理テーブル２２５に登録する処理であり、ユーザ情報通知判定プログラム２１５がトラフィック管理サーバ１０９のＣＰＵ２０４で実行されることにより行われる処理である。【０１０２】
まず、ユーザ情報通知判定プログラム２１５によりトラフィック管理サーバ１０９は、無線品質推定プログラム２１３と利用基地局リソース推定プログラム２１４でそれぞれ推定した、対象のＩＭＳＩに関するＣＱＩと利用基地局リソース量を取得する（ステップ２１５１）。なお、対象のＩＭＳＩは、図１４に示したループで順次設定されるＩＭＳＩである。【０１０３】
次に、ステップ２１５２では、対象のＩＭＳＩで識別されるＵＥ１０１が接続するｅＮｏｄｅＢ１０２に接続された全てのＵＥ１０１の利用基地局リソース推定値を取得して合計した、基地局リソース合計値と、ステップ２１５１で取得した利用基地局リソース推定値から、対象のＩＭＳＩで識別されるＵＥ１０１の基地局リソース占有率を計算する。具体的に、基地局リソース占有率は、ステップ２１５１で取得した利用基地局リソース推定値を基地局リソース合計値で除算する。【０１０４】
基地局リソース合計値は、Ｉ／Ｏ２０３に接続された入出力デバイスにユーザが入力した情報から、対象のＩＭＳＩで識別されるＵＥ１０１が接続するｅＮｏｄｅＢ１０２の基地局リソース合計値の情報を取得してもよい。また、以前に実行されたユーザ情報通知プログラム２１１によりステップ２１２１で取得したＩＭＳＩ全てに対して処理が完了した結果としてのメモリ２０１または通知情報管理テーブル２２５に基づき、メモリ２０１に格納された利用基地局リソース量の推定値を合計してもよいし、通知情報管理テーブル２２５の利用基地局リソース推定値２２５５に登録された利用基地局リソース量の推定値を合計してもよい。【０１０５】
そして、ステップ２１５３では、計算した基地局リソース占有率と所定の閾値Ｂとを比較し、基地局リソース占有率が所定の閾値Ｂより小さいと判定した場合は処理を終了する。一方、基地局リソース占有率が所定の閾値Ｂ以上であると判定した場合は、ＣＱＩ推定値と所定の閾値Ｃ、閾値Ｄとを以下の条件で比較する（ステップ２１５４）。【０１０６】
条件１：ＣＱＩ推定値≧閾値Ｃ
条件２：ＣＱＩ推定値≦閾値Ｄ
条件１、２において、閾値Ｃ、閾値Ｄは、無線品質推定値などを通知するＣＱＩの範囲を定めるための閾値であり、閾値Ｂは基地局リソース占有率の範囲をさだめるための閾値であって、これらの閾値は、Ｉ／Ｏ２０３に接続された入出力デバイスによりユーザから任意に設定されてもよい。そして、条件１又は条件２のいずれかを満たすと判定した場合、ステップ２１５５で、通知情報管理テーブル２２５の無線品質推定値２２５４と利用基地局リソース推定値２２５５に登録する。【０１０７】
以上で説明したように、ＵＥ１０１から無線品質の情報を直接取得することなく、通常の通信を監視するだけでＵＥ１０１の無線品質の推定値を計算することができる。このため、ユーザの通常の使用状態において、無線品質が必要であっても、トラフィックを増大させることはなく、無線品質の推定値を得ることができる。また、ＵＥ１０１に無線品質を送信するための専用のプログラムが必要でないため、導入コストを抑えることができる。そして、無線品質が悪いＵＥ１０１への帯域制御によるｅＮｏｄｅＢ１０２の帯域幅の利用率向上などに役立てることができる。【０１０８】
図１９は、推定式パラメータ生成処理の例を示すフローチャートである。推定式パラメータ生成処理は、推定式情報管理テーブル２２４の無線品質推定用パラメータ２２４２を生成する処理であり、無線品質推定式パラメータ生成プログラム２１６がトラフィック管理サーバ１０９のＣＰＵ２０４で実行されることにより行われる処理である。【０１０９】
まず、無線品質推定式パラメータ生成プログラム２１６によりトラフィック管理サーバ１０９は、パラメータ算出に用いる期間Ｔを取得し（ステップ２１６１）、ＥＣＧＩリストを取得する（ステップ２１６２）。期間Ｔ及びＥＣＧＩリストは、Ｉ／Ｏ２０３に接続された入出力デバイスにユーザが入力した情報から取得される。【０１１０】
ここで、期間Ｔは例えばテストの期間であり、期間ＴではＵＥ１０１から無線品質（ＣＱＩ）を取得して、取得した時刻とともに記録しておく。また、期間Ｔでは基地局混雑情報管理テーブル２２１とユーザ情報管理テーブル２２２のそれぞれにも、期間Ｔに計測したＤＰＩ装置１０８から情報を取得し、格納しておく。期間Ｔは、無線品質の取得回数とＤＰＩ装置１０８の計測回数が、統計的な処理に十分な回数となるような期間であってもよい。【０１１１】
そして、無線品質推定式パラメータ生成プログラム２１６によりトラフィック管理サーバ１０９は、ステップ２１６２で取得したＥＣＧＩリストに含まれるＥＣＧＩを順次に対象のＥＣＧＩとして設定し、ステップ２１６３からステップ２１６７の処理を繰り返し実行する。【０１１２】
ループ内のステップ２１６３では、基地局混雑情報管理テーブル２２１において、ＥＣＧＩ２２１１に対象のＥＣＧＩを含み、かつ計測期間２２１２の時刻が期間Ｔに含まれるレコードの接続ＵＥ数２２１４を基地局混雑情報として取得し、ユーザ情報管理テーブル２２２において、ＥＣＧＩ２２２２に対象のＥＣＧＩを含み、かつ時刻２２２３の時刻が期間Ｔに含まれるレコードの通信品質情報２２２７を取得する。【０１１３】
ステップ２１６４では、ステップ２１５３で取得した基地局混雑情報及び通信品質情報をフィルタリングする。取得した基地局混雑情報及び通信品質情報のうち、統計情報として有意なデータのみを用いて推定式パラメータを計算してもよいため、取得した基地局混雑情報及び通信品質情報から、例えばノイズの影響などによって生じた異常値を除去してもよい。また、取得した基地局混雑情報及び通信品質情報それぞれの上位及び下位の所定の割合（例えば、１０％）のデータを除去してもよい。また、無線品質でフィルタリングしてもよい。【０１１４】
ステップ２１６５では、計測期間２２１２と時刻２２２３の時刻に基づき、ステップ２１６４でフィルタリングされた基地局混雑情報と通信品質情報を時刻で対応付けてマージする。さらに、時刻とともに記録された無線品質も時刻で対応付けてマージする。期間Ｔに含まれる複数の時刻に基づき、無線品質と基地局混雑情報と通信品質情報の組は複数となる。そして、ステップ２１６６では、無線品質を目的変数とし、ステップ２１６５で対応付けられた基地局混雑情報及び通信品質情報を説明変数とし、最尤度推定によって推定式パラメータを計算する。【０１１５】
例えば、ステップ２１６５で対応付けられた無線品質（ＣＱＩ）と通信品質情報（ＲＴＴ）と基地局混雑情報（接続ＵＥ数）の複数の組と式（１）を用い、最尤度推定によって推定式パラメータのα０、α１、α２の値を計算する。同様に、ステップ２１６５で対応付けられた無線品質（ＣＱＩ）と通信品質情報（スループット）と基地局混雑情報（接続ＵＥ数）の複数の組と式（２）を用い、最尤度推定によって推定式パラメータのβ０、β１、β２の値を計算する。【０１１６】
ステップ２１６７では、推定式情報管理テーブル２２４のＥＣＧＩ２２４１に対象のＥＣＧＩが含まれるレコードの無線品質推定用パラメータ２２４２へ、ステップ２１６６で計算した推定式パラメータを格納する。
【実施例２】
【０１１７】
実施例２では、ＵＥ１０１の位置情報も管理し、位置に応じた無線品質の情報を提供する例を説明する。図２０は、実施例２の無線通信システムの構成の例を示す図である。実施例２の無線通信システムは、ＲＡＮ１０６に含まれるＵＥ１０１とｅＮｏｄｅＢ１０２、ＥＰＣ１０７に含まれるＳ−ＧＷ１０３とＰ−ＧＷ１０４とＭＭＥ１０５、ＤＰＩ装置１０８、ＰＤＮ１１１を有し、これらは実施例１で説明したそれぞれと同じであるので、説明を省略する。【０１１８】
位置管理サーバ１１０は、トラフィック管理サーバ１０９から受信したＵＥ１０１の情報をもとに、ＥＰＣ１０７経由でＵＥ１０１から位置情報を取得し、トラフィック管理サーバ１０９へ送信する。トラフィック管理サーバ１０９は、ＤＰＩ装置１０８から取得した情報を用いて、ｅＮｏｄｅＢ１０２とＵＥ１０１との間の無線区間の無線品質（例えば、受信電力、ＣＱＩ）と、ＵＥ１０１にｅＮｏｄｅＢ１０２が割り当てた基地局リソース量を推定する処理に加えて、位置管理サーバ１１０からＵＥ１０１の位置情報を取得し、位置に応じた無線品質の情報を提供する。【０１１９】
図２１は位置管理サーバ１１０の構成の例を示す図である。位置管理サーバ１１０の処理内容は、一般的なコンピュータの補助記憶装置４０２にプログラム（ソフトウェア）の形で格納され、ＣＰＵ４０４が、補助記憶装置４０２から読み出したプログラムをメモリ４０１上に展開して、実行する。【０１２０】
位置管理サーバ１１０は、ネットワークＩ／Ｆ４０５を介して、トラフィック管理サーバ１０９、ＵＥ１０１と通信する。Ｉ／Ｏ４０３には、入出力デバイス（例えば、キーボード、マウス、タッチパネル、ディスプレイ、プリンタなど）が接続される。位置管理サーバ１１０のメモリ４０１は、位置情報取得処理（図２３参照）を実行するための位置情報取得プログラム４１１が格納され、位置情報管理テーブル４２１（図２２参照）が格納される。【０１２１】
ＣＰＵ４０４が実行するプログラムは、リムーバブルメディア（ＣＤ−ＲＯＭ、フラッシュメモリなど）又はネットワークを介して位置管理サーバ１１０に提供され、非一時的記憶媒体である補助記憶装置４０２に格納される。このため、位置管理サーバ１１０は、リムーバブルメディアからデータを読み込むインタフェースを有してもよい。【０１２２】
位置管理サーバ１１０は、物理的に一つの計算機上で、又は、論理的又は物理的に複数の計算機上で構成される計算機システムであり、メモリ４０１に格納されたプログラムが、同一の計算機上で別個のスレッドで動作してもよく、複数の物理的計算機資源上に構築された仮想計算機上で動作してもよい。【０１２３】
位置管理サーバ１１０の処理の概略を簡単に説明すれば、位置管理サーバ１１０は、トラフィック管理サーバ１０９から取得したＵＥ１０１を一意に識別するＩＭＳＩを用いて、識別されたＵＥ１０１から位置情報を取得し、トラフィック管理サーバ１０９に出力することである。【０１２４】
図２２は、位置情報管理テーブル４２１の構成の例を示す図である。位置情報管理テーブル４２１は、ＵＥ１０１から収集した位置情報が格納される。具体的には、位置情報管理テーブル４２１は、ＵＥ１０１を一意に識別するためのＩＭＳＩが格納されるＩＭＳＩ４２１１と、ＩＭＳＩ４２１１で識別されるＵＥ１０１が接続されるｅＮｏｄｅＢ１０２のセルを一意に識別するためのＥＣＧＩ４２１２と、位置情報をＵＥ１０１が計測した時刻が格納される時刻４２１３と、ＩＭＳＩ４２１１で識別されるＵＥ１０１の位置情報である緯度と経度が格納される位置４２１４とを含む。【０１２５】
図２３は、位置情報取得処理の例を示すフローチャートである。位置情報取得処理は、位置情報取得プログラム４１１が位置管理サーバ１１０のＣＰＵ４０４で実行されることにより行われる処理である。まず、位置情報取得プログラム４１１により位置管理サーバ１１０は、トラフィック管理サーバ１０９から、位置情報取得対象のＵＥ１０１のＩＭＳＩを取得する（ステップ４１１１）。ここでは、取得したＩＭＳＩで識別されるＵＥ１０１を対象のＵＥ１０１とする。【０１２６】
次に、ステップ４１１２では、対象のＵＥ１０１に位置情報取得要求を送信し、対象のＵＥ１０１から位置情報を取得する。ここで、対象のＵＥ１０１から取得する情報は位置情報の他にＵＥ１０１で計測された無線品質などの測定値を含んでもよい。そして、ステップ４１１３では、取得したＵＥ１０１の位置情報を位置情報管理テーブル４２１に登録する。【０１２７】
さらに、ステップ４１１４では、取得したＵＥ１０１の位置情報をトラフィック管理サーバ１０９に送信する。ここで、対象のＵＥ１０１から位置情報の他に無線品質などの測定値を取得していた場合は、トラフィック管理サーバ１０９に送信してもよい。【０１２８】
図２４は、実施例２のトラフィック管理サーバ１０９の構成の例を示す図である。実施例２のトラフィック管理サーバ１０９は、一般的なコンピュータによって構成され、ＣＰＵ２０４、メモリ２０１、補助記憶装置２０２、Ｉ／Ｏ２０３、ネットワークＩ／Ｆ２０５及びＤＰＩ装置Ｉ／Ｆ２０６を有し、メモリ２０１に格納されるプログラム及びテーブルの一部を除き、これらは実施例１で説明したそれぞれと同じであるので説明を省略する。【０１２９】
メモリ２０１は、端末移動判定プログラム２１２、無線品質推定プログラム２１３、利用基地局リソース推定プログラム２１４、ユーザ情報通知判定プログラム２１５、及び無線品質推定式パラメータ生成プログラム２１６が格納される。また、メモリ２０１は、基地局混雑情報管理テーブル２２１、ユーザ情報管理テーブル２２２、ハンドオーバ情報管理テーブル２２３、推定式情報管理テーブル２２４が格納される。これらは実施例１で説明したそれぞれと同じであるので説明を省略する。【０１３０】
さらにメモリ２０１は、無線品質マップ描画処理（図２７参照）を実行する無線品質マップ描画プログラム２１７、及び無線品質分布統計マップ描画処理（図２８参照）を実行する無線品質分布統計マップ描画プログラム２１８が格納される。また、メモリ２０１は、無線品質マップ情報管理テーブル２２６（図２５参照）、及び無線品質分布統計マップ情報管理テーブル２２７（図２６参照）が格納される。【０１３１】
図２５は、無線品質マップ情報管理テーブル２２６の構成例を示す図である。無線品質マップ情報管理テーブル２２６は、トラフィック管理サーバ１０９が、位置管理サーバ１１０に位置情報の取得を指示するＵＥ１０１に関する情報と、位置管理サーバ１１０から取得したＵＥ１０１の位置情報を格納する。具体的に、無線品質マップ情報管理テーブル２２６は、ＵＥ１０１を一意に識別するためのＩＭＳＩが格納されるＩＭＳＩ２２６１を含む。【０１３２】
また、無線品質マップ情報管理テーブル２２６は、ＩＭＳＩ２２６１で識別されるＵＥ１０１が接続されるｅＮｏｄｅＢ１０２のセルを一意に識別するためのＥＣＧＩ２２６２と、推定値を格納した時刻が格納される時刻２２６３と、トラフィック管理サーバ１０９が推定した無線品質推定値及び利用基地局リソース推定値がそれぞれ格納される無線品質推定値２２６４及び利用基地局リソース推定値２２６５と、ＩＭＳＩ２２６１で識別されるＵＥ１０１から取得した無線品質が格納される無線品質取得値２２６６及び緯度及び経度が位置情報として格納される位置２２６７とを含む。【０１３３】
図２６は、無線品質分布統計マップ情報管理テーブル２２７の構成例を示す図である。無線品質分布統計マップ情報管理テーブル２２７は、マップとして描画される格子の属性を格納し、１レコードが一つの格子の属性を表す。具体的に、無線品質分布統計マップ情報管理テーブル２２７は、ｅＮｏｄｅＢ１０２のセルを一意に識別するためのＥＣＧＩ２２７１が格納される。【０１３４】
また、無線品質分布統計マップ情報管理テーブル２２７は、ＥＣＧＩ２２７１で識別されるセルに含まれる格子の緯度及び経度が位置情報として格納される位置２２７２と、位置２２７２で特定される格子の緯度方向の長さ及び経度方向の幅が格納される格子の大きさ２２７３と、無線品質情報が格納される無線品質２２７４と、位置２２７２で特定される格子内の全てのＵＥ１０１と転送されるデータの総量が格納される総転送バイト数２２７５が含まれる。【０１３５】
図２７は、無線品質マップ描画処理の例を示すフローチャートである。無線品質マップ描画処理は、無線品質マップ描画プログラム２１７がトラフィック管理サーバ１０９のＣＰＵ２０４で実行されることにより行われる処理である。ステップ２１７１からステップ２１７４は、実施例１の図１４を用いて説明したステップ２１１１からステップ２１１４と同じである。ただし、ステップ２１１４では通知情報管理テーブル２２５に登録したが、ステップ２１７４では無線品質マップ情報管理テーブル２２６に登録する。【０１３６】
その後、無線品質マップ描画プログラム２１７によりトラフィック管理サーバ１０９は、ＵＥ１０１の位置情報を取得するため、無線品質マップ情報管理テーブル２２６のＩＭＳＩ２２６１に登録されたＩＭＳＩを、位置管理サーバ１１０に送信する（ステップ２１７５）。なお、無線品質マップ情報管理テーブル２２６のＩＭＳ２２６１には、閾値Ｂと閾値Ｃと閾値Ｄに基づき判定されたＩＭＳＩが登録されている。【０１３７】
ステップ２１７６では、位置管理サーバ１１０から、ＵＥ１０１の位置情報を取得する。ここで、位置管理サーバ１１０から取得する情報はＵＥ１０１の位置情報だけでなく、ＵＥ１０１で計測された無線品質などの情報を含んでもよい。ステップ２１７７では、ステップ２１７６で取得したＵＥ１０１の位置情報を無線品質マップ情報管理テーブル２２６の位置２２６７に登録する。また、ＵＥ１０１で計測された無線品質などの情報を取得していた場合は、取得した無線品質を無線品質マップ情報管理テーブル２２６の無線品質取得値２２６６に登録してもよい。【０１３８】
ステップ２１７８では、無線品質マップ情報管理テーブル２２６の位置２２６７に登録された位置情報をもとに、無線品質をマップ上に表示する（図２９参照）。ここで、無線品質は、ステップ２１７７で無線品質取得値２２６６に無線品質を登録した場合は無線品質取得値２２６６の無線品質とし、登録されない場合は無線品質推定値２２６４の無線品質としてもよい。【０１３９】
図２８は、無線品質分布統計マップ描画処理の例を示すフローチャートである。無線品質分布統計マップ描画処理は、無線品質分布統計マップ描画プログラム２１８がトラフィック管理サーバ１０９のＣＰＵ２０４で実行されることにより行われる処理である。まず、無線品質分布統計マップ描画プログラム２１８によりトラフィック管理サーバ１０９は、描画エリアのマップを格子に分割する（ステップ２１８１）。【０１４０】
そして、無線品質分布統計マップ描画プログラム２１８によりトラフィック管理サーバ１０９は、分割された格子であって未処理の格子を順次に対象の格子として設定し、ステップ２１８２からステップ２１８９の処理を繰り返し実行する。【０１４１】
ループ内のステップ２１８２では、対象の格子内に位置するＵＥ１０１に関する情報を無線品質マップ情報管理テーブル２２６から取得する。具体的には、位置２２６７の位置情報に基づき、ＩＭＳＩ２２６１、ＥＣＧＩ２２６２、時刻２２６３、無線品質推定値２２６４及び位置２２６７から情報が取得される。【０１４２】
そして、ステップ２１８３では、取得したＵＥ１０１に関する情報にノイズ処理を実行する。例えば、異常値を除去することによって、ＧＰＳの測定誤差やＣＱＩの外れ値を取り除く。また、例えばノイズの影響などによって生じた異常値を除去してもよく、上位及び下位の所定の割合（例えば、１０％）のデータを除去してもよい。【０１４３】
ステップ２１８４では、ノイズ処理されたＣＱＩの推定値のばらつきを計算し、ステップ２１８５では、計算されたばらつきと予め設定された所定の閾値Ｅとを比較する。その結果、計算されたばらつきが所定の閾値Ｅ以上であると判定した場合、対象の格子が大きすぎるので、ステップ２１８６にて、対象の格子をさらに分割し、分割によって生成された格子を未処理の格子とする。【０１４４】
一方、計算されたばらつきが所定の閾値Ｅより小さいと判定した場合、ステップ２１８７にて、ノイズ処理されたＣＱＩの推定値の代表値を定め、無線品質分布統計マップ情報管理テーブル２２７の無線品質２２７４へ記録する。さらに、ステップ２１８８では、対象の格子内に位置するＵＥ１０１の転送バイト数をユーザ情報管理テーブル２２２の転送バイト数２２２５から取得し、ステップ２１８９では、取得した転送バイト数を合計して、無線品質分布統計マップ情報管理テーブル２２７の総転送バイト数２２７５に登録する。【０１４５】
なお、ステップ２１８９では、転送バイト数の合計値を無線品質分布統計マップ情報管理テーブル２２７に登録するとしたが、対象の格子内に位置するＵＥ１０１の数や、対象の格子内に位置するＵＥ１０１の転送パケット数を合計した総転送パケット数、対象の格子内に位置するＵＥ１０１のスループットを合計した総スループットを登録してもよい。また、無線品質分布統計マップ情報管理テーブル２２７の位置２２７２、格子の大きさ２２７３、総転送バイト数２２７５に基づき、転送バイト数の合計をマップ上に表示してもよい（図３０参照）。【０１４６】
図２９は、無線品質マップの例を示す図である。図２９に示す無線品質マップは、ＵＥ１０１ごとの無線品質を多段階のランクに分け、位置情報をもとにマップ上に表示されたものである。この例では、１つの記号が１つのＵＥ１０１のＣＱＩのランクを表し、ＣＱＩの値を１〜５、６〜１０、１１〜１５の３段階のランクに分けたが、ランクの数はいくつでもよい。【０１４７】
また、図１８を用いて説明したユーザ情報通知判定処理において閾値ＤによりＣＱＩの値が低いＵＥ１０１に限定され、無線品質マップ情報管理テーブル２２６に登録されたＵＥ１０１に関する情報のみをマップ上に表示する例とし、ＣＱＩの値が１１〜１５のＵＥ１０１は無線品質マップ情報管理テーブル２２６に登録されず、ＣＱＩの値が１〜５、６〜１０のＵＥ１０１がマップ上に表示される例を示した。【０１４８】
図３０は、無線品質分布統計マップの例を示す図である。図３０に示す無線品質分布統計マップは、所定の大きさの格子に区分された領域において、無線品質分布統計マップ描画処理で無線品質分布統計マップ情報管理テーブル２２７に登録された総転送バイト数を、格子ごとに多段階に分けて可視的に表したものである。【０１４９】
例えば、総転送バイト数が、０〜１０００００バイトをＬｏｗ、１００００１〜２０００００バイトをＭｉｄｄｌｅ、２００００１バイト以上をＨｉｇｈとする。この例では、総転送バイト数のランクを３段階としているが、総転送バイト数のランクの数はいくつでもよい。【０１５０】
また、マップをｘ軸、ｙ軸、ｚ軸を持つ３次元マップとし、高さ方向のｚ軸のグラフで総転送バイト数を表現してもよい。また、総転送バイト数ではなく、各格子内に位置するＵＥ１０１の数や、各格子内に位置するＵＥ１０１の転送パケット数を合計した総転送パケット数、各格子内に位置するＵＥ１０１のスループットを合計した総スループットをマップ上に表示してもよい。【０１５１】
以上で説明したように、ＵＥ１０１の位置情報も管理し、位置に応じた無線品質の情報や通信に関する統計情報を提供することが可能になる。また、ＵＥ１０１から無線品質の情報を直接取得する場合であっても、特定のＵＥ１０１から取得することにより、トラフィックの増大を抑えることができる。そして、位置に依存した傾向を把握し、ｅＮｏｄｅＢ１０２の移動や新たな設置などによる通信エリアの改善に役立てることができる。【０１５２】
なお、本発明を実施するための形態は、以上で説明した実施例に限定されるものではなく、様々な変形例及び同等の構成が含まれる。例えば、前述した実施例は本発明を分かりやすく説明するために詳細に説明したものであり、必ずしも説明した全ての構成を備えるものに限定されない。また、ある実施例の構成の一部を他の実施例の構成に置き換えてもよい。また、ある実施例の構成に他の実施例の構成の一部を加えてもよい。【０１５３】
また、前述したプログラムによる処理などは、それらの一部又は全部を、例えば集積回路で設計するなどにより、ハードウェアで実現してもよく、ハードウェアによる処理とプログラムによる処理を組み合わせてもよい。プログラムやテーブルなどの情報は、メモリ、ＨＤＤ（Ｈａｒｄ  Ｄｉｓｋ  Ｄｒｉｖｅ）、ＳＳＤ（Ｓｏｌｉｄ Ｓｔａｔｅ Ｄｒｉｖｅ）などの記憶装置、又は、ＩＣカード、ＳＤカード、ＤＶＤなどの記録媒体に格納することができる。また、制御線や情報線は説明上必要なものを示しており、示した以外の制御線や情報線があってもよい。
【符号の説明】
【０１５４】
１０１  ＵＥ
１０２  ｅＮｏｄｅＢ
１０３  Ｓ−ＧＷ
１０４  Ｐ−ＧＷ
１０５  ＭＭＥ
１０６  ＲＡＮ
１０８  ＤＰＩ装置
１０９  トラフィック管理サーバ
１１０  位置管理サーバ
１１１  ＰＤＮ
【図１】
2017094636.tif 000006
【図２】
2017094636.tif 000007
【図３】
2017094636.tif 000008
【図４】
2017094636.tif 000009
【図５】
2017094636.tif 000010
【図６】
2017094636.tif 000011
【図７】
2017094636.tif 000012
【図８】
2017094636.tif 000013
【図９】
2017094636.tif 000014
【図１０】
2017094636.tif 000015
【図１１】
2017094636.tif 000016
【図１２Ａ】
2017094636.tif 000017
【図１２Ｂ】
2017094636.tif 000018
【図１３】
2017094636.tif 000019
【図１４】
2017094636.tif 000020
【図１５】
2017094636.tif 000021
【図１６】
2017094636.tif 000022
【図１７】
2017094636.tif 000023
【図１８】
2017094636.tif 000024
【図１９】
2017094636.tif 000025
【図２０】
2017094636.tif 000026
【図２１】
2017094636.tif 000027
【図２２】
2017094636.tif 000028
【図２３】
2017094636.tif 000029
【図２４】
2017094636.tif 000030
【図２５】
2017094636.tif 000031
【図２６】
2017094636.tif 000032
【図２７】
2017094636.tif 000033
【図２８】
2017094636.tif 000034
【図２９】
2017094636.tif 000035
【図３０】
2017094636.tif 000036
【国際調査報告】
2017094636.tif 000037
2017094636.tif 000038